(57)【要約】【課題】携帯電話および固定電話が混在する内線電話システムにおいて、電話端末への電話呼び出し時に端末間のグループ登録をすることなく、代理応答を可能とする。【解決手段】無線基地局に、ＳＩＰサーバと携帯電話間を中継する機能、固定電話からの呼び出し通知信号を監視する機能、自カバーエリア内の携帯電話や固定電話からの代理応答可能信号を監視する機能、代理応答可能信号と呼び出し通知信号の整合条件を判定し、条件に合致した場合、ＳＩＰサーバに代理応答要求信号を送信する機能、無線基地局配下にＬＡＮを接続するための中継機能などを備えることにより代理応答を可能とする。【選択図】図１１
2011249919.tif 000002
【特許請求の範囲】
【請求項１】
ネットワークに接続された呼制御サーバと無線基地局と有線電話端末と、前記無線基地局に収容された無線電話端末とからなる内線電話システムにおいて、
前記無線基地局は、そのカバーエリア内の第１の電話端末が前記呼制御サーバにより呼び出し中のとき、かつ、前記カバーエリア内の第２の電話端末から代理応答可能信号を受信したとき、前記第１の電話端末の第１の特定情報と前記第２の電話端末の第２の特定情報とを添付した代理応答要求を前記呼制御サーバに送信することを特徴とする内線電話システム。
【請求項２】
請求項１に記載の内線電話システムであって、
前記代理応答要求を受信した前記呼制御サーバは、前記第２の電話端末に呼を接続することを特徴とする内線電話システム。
【請求項３】
請求項１に記載の内線電話システムであって、
前記有線電話端末は、前記無線基地局を経由して前記ネットワークに接続されていることを特徴とする内線電話システム。
【請求項４】
呼制御サーバと有線電話端末と接続され、無線電話端末を収容する無線基地局において、
カバーエリア内の第１の電話端末が前記呼制御サーバにより呼び出し中のとき、かつ、前記カバーエリア内の第２の電話端末から代理応答可能信号を受信したとき、前記第１の電話端末の第１の特定情報と前記第２の電話端末の第２の特定情報とを添付した代理応答要求を前記呼制御サーバに送信することを特徴とする無線基地局。
【請求項５】
請求項４に記載の無線基地局であって、
さらに、前記有線電話端末を収容することを特徴とする無線基地局。
【発明の詳細な説明】
【技術分野】
【０００１】
本発明は、内線電話システムおよび無線基地局に係り、携帯電話および固定電話間における代理応答機能を有する内線電話システムおよび無線基地局に関する。
【背景技術】
【０００２】
特許文献１は、構内電話交換機に着信先管理データを登録しておくことにより、着信先の内線端末が応答しない場合、着信先管理データに予め登録されている内容で着信先を順次増やしていく着信制御方法を開示する。
【０００３】
また、特許文献２は、着信先の内線端末が応答しない場合、電話基地局に予め登録されている他の内線端末に一斉同報着信させる着信制御方法を開示する。
【先行技術文献】
【特許文献】
【０００４】
【特許文献１】特開平８−３２６９５号公報
【特許文献２】特開平１１−２３４７５５号公報
【発明の概要】
【発明が解決しようとする課題】
【０００５】
現在の、内線電話システムでは、収容する電話として、携帯電話および固定電話が混在する。この内線電話システムでは、内外線の区別なしに使用可能な携帯電話が利用される。内外線の区別なしに使用可能な携帯電話は、携帯電話を所持する従業員が自宅に携帯電話を持ち帰っている時に、発信者が携帯電話に対して、内線電話番号で発呼した際、呼び出しが可能となっているような携帯電話である。
【０００６】
上述の内線電話システムでは、ある固定電話に電話呼び出しがあった場合、内外線の区別なしに使用可能な携帯電話を内線用電話として所持する従業員が、呼び出されている固定電話の代理応答をしようと思っても、自身が所有する携帯電話では代理応答ができない。このため、従業員は、固定電話設置場所まで移動しなければならない。
【０００７】
代理応答の一般的な手法としては、代理応答可能な代理応答グループを内線電話システムに予め登録する制御方法が用いられている。特許文献１および特許文献２に記載されている着信制御方法は、この手法の一つと言える。しかし、上記の手法では事前のグループ登録が必須である。また、グループ登録されてなければ、代理応答は、できない。さらに、代理応答グループ変更の度に再登録が必要であり、登録作業が発生する。
【０００８】
本発明は、以上の課題点に鑑み、携帯電話および固定電話が混在する内線電話システムにおいて、固定電話への電話呼び出し時に端末間のグループ登録をすることなく、携帯電話からでも代理応答を可能とすること目的とする。
【課題を解決するための手段】
【０００９】
上述した課題は、ネットワークに接続された呼制御サーバと無線基地局と有線電話端末と、無線基地局に収容された無線電話端末とからなる内線電話システムにおいて、無線基地局は、そのカバーエリア内の第１の電話端末が呼制御サーバにより呼び出し中のとき、かつ、カバーエリア内の第２の電話端末から代理応答可能信号を受信したとき、第１の電話端末の第１の特定情報と第２の電話端末の第２の特定情報とを添付した代理応答要求を呼制御サーバに送信する内線電話システムにより、達成できる。
【００１０】
また、呼制御サーバと有線電話端末と接続され、無線電話端末を収容する無線基地局において、カバーエリア内の第１の電話端末が呼制御サーバにより呼び出し中のとき、かつ、カバーエリア内の第２の電話端末から代理応答可能信号を受信したとき、第１の電話端末の第１の特定情報と第２の電話端末の第２の特定情報とを添付した代理応答要求を呼制御サーバに送信する無線基地局により、達成できる。
【発明の効果】
【００１１】
本発明によれば、携帯電話および固定電話が混在する内線電話システムにおいて、事前のグループ登録をすることなく、電話着信時における携帯電話または固定電話からの代理応答が可能な内線電話システムおよび無線基地局を提供できる。
【図面の簡単な説明】
【００１２】
【図１】実施例１の内線電話システムのブロック図である。
【図２】実施例１の固定電話のブロック図である。
【図３】実施例１の携帯電話のブロック図である。
【図４】実施例１の無線基地局のブロック図である。
【図５】呼び出し通知信号のフォーマットである。
【図６】代理応答可能信号のフォーマットである。
【図７】代理応答要求信号のフォーマットである。
【図８】呼び出し先が固定電話であるときの、無線基地局の代理応答判定動作を説明するフローチャートである。
【図９】実施例１の電話接続動作を示すシーケンス図である。
【図１０】呼び出し通知信号が複数発生したときの、端末の位置関係を説明する図である。
【図１１】実施例２の内線電話システムのブロック図である。
【図１２】実施例２の固定電話のブロック図である。
【図１３】実施例２の無線基地局のブロック図である。
【図１４】実施例２の電話接続動作を示すシーケンス図である。
【発明を実施するための形態】
【００１３】
以下、本発明の実施形態について、実施例を用いて、図面を参照しながら説明する。なお、同一部位には同じ参照番号を振り、説明は繰り返さない。
【実施例１】
【００１４】
図１を参照して、実施例１の内線電話システムの接続構成を説明する。図１において、内線電話システム１００は、ＳＩＰサーバ１０、ＩＰネットワーク２０、複数の無線基地局３０、複数の固定電話６０、複数の携帯電話５０で構成されている。
【００１５】
ＳＩＰサーバ１０は、ＩＰネットワーク２０と接続され、図示しない呼制御処理部と代理応答処理部とを持つ。ＩＰネットワーク２０は、内線電話システム１００のＳＩＰサーバ１０、ＩＰネットワーク２０、複数の無線基地局３０、複数の固定電話６０を有線接続する。無線基地局３０は、ＩＰネットワーク２０と接続され、無線通信により携帯電話５０と双方向通信する。無線基地局３０は、また、固定電話６０との信号送受信を行なう。無線基地局３０は、ＳＩＰサーバ１０と携帯電話５０と間の中継処理を行なう。カバーエリア４０は、無線基地局３０のカバーエリアである。
【００１６】
携帯電話５０は、無線基地局３０と無線通信し、所定の操作（具体的にはボタン入力『＃１１』など）により代理応答可能信号を送信する。固定電話６０は、無線通信を使用し、所定の操作により代理応答可能信号を送信する。固定電話６０は、また、電話呼び出し時に呼び出し通知信号を送信する。
【００１７】
図２を参照して、固定電話６０の構成を説明する。図２において、固定電話６０は、端末アンテナ６０１、無線部６０２、スピーカ６０３、表示部６０４、入力部６０５、制御部６０６、回線制御部６０７、送話部６０８、受話部６０９から構成される。
制御部６０６は、呼出部６０６１と、代理部６０６２とを含んで構成される。
【００１８】
端末アンテナ６０１は、無線通信により無線基地局３０との間の情報送受信を行なう。無線部６０２は、呼出部６０６１により制御される固定電話６０の呼び出し通知信号を送信する。無線部６０２は、代理部６０６２により制御される代理応答可能信号を送信する。無線部６０２は、無線基地局３０から送信される代理応答不可信号を受信する。スピーカ６０３は、電話呼び出し時の呼び出し音を出力する。表示部６０４は、接続先電話番号などを表示する。入力部６０５は、ダイヤル用ボタンなどである。制御部６０６は、固定電話６０全体を管理・制御する。回線制御部６０７は、通信網からの電話接続要求および固定電話６０からの電話接続要求を通信網と相互にやり取りする。なお、本実施例では、通信網は、ＳＩＰサーバ１０とＩＰネットワーク２０により構成する。送話部６０８および受話部６０９は、通話を送受信する。
【００１９】
呼出部６０６１は、既存の固定電話で実現されている呼出制御を実施する。呼出部６０６１は、また、固定電話６０の電話呼び出し状況を監視する。呼出部６０６１は、電話呼び出し中の間、無線部６０２に対して、呼び出し通知信号の送信を指示する。代理部６０６２は、入力部６０５による所定の操作により、代理応答可能が通知されると無線部６０２に対して、代理応答可能信号の送信を指示する。
【００２０】
図３を参照して、携帯電話５０の構成を説明する。図３において、携帯電話５０は、端末アンテナ５０１、無線部５０２、入力部５０３、制御部５０４、メモリ５０５、鳴動部５０６、振動部５０７、ＬＥＤ５０８、表示部５０９、送話部５１０、受話部５１１から構成される。制御部５０４は、代理部５０４１を含む。
【００２１】
端末アンテナ５０１は、無線通信により無線基地局３０との情報送受信を行なう。無線部５０２は、携帯電話５０への接続要求を電気信号に変換する。無線部５０２は、携帯電話５０からの接続要求および代理応答可能信号を無線信号に変換する。入力部５０３は、ダイヤル用ボタンなどである。制御部５０４は、携帯電話５０全体を管理・制御する。メモリ５０５は、プログラムなどを格納する。鳴動部５０６、振動部５０７、ＬＥＤ５０８は、接続要求などの着信時に指示された着信モードで着信通知する。表示部５０９は、着信先電話番号などを表示する。送話部５１０、受話部５１１は、通話を送受する。
代理部５０４１は、入力部５０３から所定の操作により代理応答可能が通知されると代理応答可能信号の送信を指示する。
【００２２】
図４を参照して、無線基地局３０の構成を説明する。図４において、無線基地局３０は、基地局アンテナ３０１、無線アナログ部３０２、ディジタル信号処理部３０３、回線Ｉ／Ｆ（インタフェース）部３０４、基地局制御部３０５、呼処理部３１０から構成される。呼処理部３１０は、ＣＰＵ３１１、代理応答処理部３１２、メモリ３１３、Ｉ／Ｏ（入出力インタフェース）３１４から構成される。
【００２３】
基地局アンテナ３０１は、無線通信による携帯電話５０との情報を送受信する。基地局アンテナ３０１は、また、固定電話６０からの呼び出し通知信号や代理応答可能信号の受信を行なう。
無線アナログ部３０２は、基地局アンテナ３０１に接続する。無線アナログ部３０２は、携帯電話５０および固定電話６０から受信したアナログ信号をディジタル信号に変換する。無線アナログ部３０２は、変換したディジタル信号をディジタル信号処理部３０３に送信する。無線アナログ部３０２は、他方、ディジタル信号処理部３０３から受信したディジタル信号をアナログ信号（電波）に変換する。無線アナログ部３０２は、アナログ信号について基地局アンテナ３０１を介して携帯電話５０に送信する。
【００２４】
ディジタル信号処理部３０３は、無線アナログ部３０２と接続する。ディジタル信号処理部３０３は、無線アナログ部３０２から受信したディジタル信号（上り信号）を復調する。ディジタル信号処理部３０３は、また、携帯電話５０に送信する下り信号の変調を行なう。
回線Ｉ／Ｆ部３０４は、通信網に接続される。回線Ｉ／Ｆ部３０４は、代理応答処理部３１２からの代理応答要求信号を通信網へ送信する。また、回線Ｉ／Ｆ部３０４は、通信網との情報送受信を行なう。基地局制御部３０５は、呼処理部３１０と接続され、自無線基地局３０全体を管理・制御する。
【００２５】
呼処理部３１０は、ディジタル信号処理部３０３および回線Ｉ／Ｆ部３０４に接続されている。ＣＰＵ３１１は、呼処理部３１０内の動作を制御・実行するための円債遺書知装置である。代理応答処理部３１２は、自無線基局３０のカバーエリア４０内から送信された代理応答に関する信号を処理・制御する。メモリ３１３は、プログラムなどを格納する。Ｉ／Ｏ３１４は、回線Ｉ／Ｆ部３０４および基地局制御部３０５と信号の送受信を行なう。
【００２６】
呼処理部３１０は、既存の無線基地局で実現されている呼処理を実施する。呼処理部３１０は、固定電話６０からの呼び出し通知信号と、携帯電話５０および固定電話６０からの代理応答可能信号を監視する。呼処理部３１０は、無線基地局３０のカバーエリア４０内に所在する電話端末からの呼び出し通知信号受信中に、代理応答可能信号を受信すると、ＳＩＰサーバ１０に対して、呼び出し先電話端末番号と代理応答可能電話端末番号とを送信情報とする代理応答要求信号を送信する。
【００２７】
図５を参照して、呼び出し通知信号４１０を説明する。図５において、呼び出し通知信号４１０は、呼び出し通知フラグ４１１、電話番号４１２で構成されている。呼び出し通知フラグ４１１は、呼び出し通知信号４１０であることを特定するフラグである。電話番号４１２は、呼び出し通知信号４１０を送信した端末の電話番号である。
【００２８】
図６を参照して、代理応答可能通知信号４２０を説明する。図６において、代理応答可能通知信号４２０は、代理応答可能フラグ４２１、電話番号４２２で構成されている。代理応答可能フラグ４２１は、代理応答可能通知信号４２０であることを特定するフラグである。電話番号４２２は、代理応答可能通知信号４２０を送信した端末の電話番号である。
【００２９】
図７を参照して、代理応答要求信号４３０を説明する。図７において、代理応答要求信号４３０は、代理応答要求フラグ４３１、呼び出し電話番号４３２、代理電話番号４３３で構成されている。代理応答要求フラグ４３１は、代理応答要求信号４３０であることを特定するフラグである。呼び出し電話番号４３２は、ＳＩＰサーバ１０が呼び出し中の電話番号である。代理電話番号４３３は、代理応答可能通知信号４２０を送信した端末５０／６０の電話番号である。
【００３０】
図８を参照して、無線基地局３０の代理応答判定動作を説明する。図８において、無線基地局３０は、携帯電話５０または固定電話６０から、代理応答可能信号を受信する（Ｓ７０１）。無線基地局３０は、呼び出し通知信号を受信中か判定する（Ｓ７０２）。ＹＥＳのとき、無線基地局３０は、ＳＩＰサーバ１０に代理応答要求を送信して（Ｓ７０３）、終了する。ステップ７０２でＮＯのとき、無線基地局３０は、代理応答可能信号を送信した携帯電話５０または固定電話６０に代理応答不可信号を送信して（Ｓ７０４）、終了する。ステップ７０２でＮＯの場合とは、微妙な時間差等により、代理応答可能信号を送信したタイミングで呼び出し通知信号が停止した場合などを想定している。
なお、呼び出し先が携帯電話のとき、基地局３０が呼び出しているので、ステップ７０２の判定は、呼び出しているかの判定となる。
【００３１】
図９を参照して、内線電話システム１００の代理応答シーケンスを説明する。ここでは、固定電話使用者の不在時に、その固定電話に対する電話呼び出しがあったとき、携帯電話での代理応答動作を説明する。
【００３２】
図９において、発信固定電話６０−Ａは、呼び出し先固定電話６０−Ｃへの電話接続要求信号を、ＳＩＰサーバ１０に送信する（Ｓ１０１）。電話接続要求信号を受信したＳＩＰサーバ１０は、呼び出し先固定電話６０−Ｃに対して、呼び出し信号を送信する（Ｓ１０２）。これにより呼び出し先固定電話６０−Ｃの呼び出し音が鳴動する。呼び出し信号を受信した呼び出し先固定電話６０−Ｃは、携帯電話の位置登録機能に相当する無線信号（呼び出し通知信号と呼ぶ）を発信する（Ｓ１０３）。呼び出し通知信号には、呼び出し先電話番号である４０００番が添付されている。ここでは、呼び出し先固定電話６０−Ｃは、無線基地局３０−Ｂのカバーエリア４０−Ｂに所在する。このため、呼び出し先固定電話６０−Ｃの呼び出し通知信号は無線基地局３０−Ｂが受信する。
【００３３】
この呼び出し通知信号は、呼び出し先固定電話６０−Ｃが呼び出されている間、呼び出し先固定電話６０−Ｃから発信される。無線基地局３０−Ｂは、この呼び出し通知信号の受信により、カバーエリア４０−Ｂ内に呼び出し先固定電話６０−Ｃが所在し、さらに固定電話６０−Ｃが呼び出し中であることを認識できる。呼び出し先固定電話６０−Ｃを割り当てられた従業員の離席などにより呼び出し音の鳴動が続くと、近傍に位置する携帯電話５０−Ｃを所持する従業員が、呼び出し先固定電話６０−Ｃを割り当てられた従業員が離席していることに気づく。
【００３４】
この従業員は、自身が所持する携帯電話５０−Ｃから代理応答可能を意味する所定の入力操作を行なう。携帯電話５０−Ｃは、代理応答可能信号を無線基地局３０−Ｂに送信する（Ｓ１０４）。代理応答可能信号には、代理応答先の電話番号である５０００番が添付されている。携帯電話５０−Ｃが所在する場所をカバーエリア４０−Ｂとしている無線基地局３０−Ｂは、携帯電話５０−Ｃからの代理応答可能信号を受信すると、呼び出し先固定電話６０−Ｃと携帯電話５０−Ｃを関連付けた代理応答要求信号をＳＩＰサーバ１０に送信する（Ｓ１０６）。代理応答要求信号には、呼び出し電話番号（４０００番）と代理応答電話番号（５０００番）が添付されている。代理応答要求信号を受信したＳＩＰサーバ１０は、発信固定電話６０−Ａと無線基地局３０−Ｂを経由した携帯電話５０−Ｃ間で回線を接続する（Ｓ１０７）。これにより、ＳＩＰサーバ１０からの固定電話６０−Ｃへの呼び出し信号が停止し、固定電話６０−Ｃからの呼び出し通知信号も停止する。
【００３５】
なお、図９の説明では、発信電話端末を固定電話６０、代理応答電話端末を携帯電話５０として説明したが、それぞれ端末が固定電話であろうと携帯電話であろうと同様の動作が可能である。
【００３６】
また、呼び出し先電話端末を固定電話として説明したが、携帯電話所持者が携帯電話を自席などに放置した状態で離席中に着信があった場合、携帯電話の着信音や振動音が鳴動する設定になっていれば、呼び出し先電話が携帯電話であっても、携帯電話端末の周辺在席者により、代理応答が可能である。
なお、呼び出し先電話が携帯電話５０のとき、携帯電話５０は、呼び出し通知信号４１０を無線基地局３０に送信する必要はない。
【００３７】
次に、図１０を参照して、呼び出し通知信号が複数発生したときの動作を説明する。図１０において、無線基地局３０−Ｂのカバーエリア４０−Ｂには、携帯電話５０−Ｃ、携帯電話５０−Ｄ、固定電話６０−Ｃ、固定電話６０−Ｄが存在する。この状態で、固定電話６０−Ｃが１０：２０から、固定電話６０−Ｄが１０：２１から呼出を開始したとする。
【００３８】
図１０に示す端末位置において、携帯電話５０−Ｃが代理応答可能信号を送信したとする。固定電話６０−Ｃ、６０−Ｄからの呼び出し通知信号と携帯電話５０−Ｃからの代理応答可能信号を受信した無線基地局３０−Ｂは、呼び出し通知信号の先着順序を優先する先着順制御方法、固定電話６０−Ｃ、６０−Ｄと携帯電話５０−Ｃ、それぞれの所在位置を把握し、呼び出し中端末と代理応答可能端末の端末間の距離がより近い方を優先する近傍制御方法による動作が考えられる。
【００３９】
図１０において、先着順制御方法では呼び出し開始時刻が早い固定電話６０−Ｃと携帯電話５０−Ｃ間で代理応答が成立する。一方、近傍制御方法では相互の物理的距離が近い固定電話６０−Ｄと携帯電話５０−Ｃ間で代理応答が成立する。
【００４０】
図１０により、呼び出し通知信号が複数発生したときの動作を説明した。しかし、ある電話端末の呼び出しのとき、２つ以上の別の電話端末から代理応答可能信号が複数発生したとき、上記と同様に先着順制御方法および近傍制御方法により、制御可能である。
【実施例２】
【００４１】
実施例２は、実施例１で示したシステム構成を改良して、既存電話端末を流用可能にした実施例である。
図１１を参照して、実施例２の内線電話システム１００Ａを説明する。図１１において、内線電話システム１００Ａは、ＳＩＰサーバ１０、ＩＰネットワーク２０、無線基地局７０、カバーエリア４０、携帯電話５０、固定電話８０、ＬＡＮ９０から構成される。
【００４２】
無線基地局７０は、ＩＰネットワーク２０と接続されている。無線基地局７０は、無線通信により携帯電話５０との双方向通信を行なう。無線基地局７０は、ＳＩＰサーバ１０と携帯電話５０間の中継処理を行なう。無線基地局７０は、中継機能を持つ。固定電話８０は、所定の操作により代理応答可能信号を送信する。有線ＬＡＮ９０は、基地局７０の中継機能部に接続される。有線ＬＡＮ９０は、固定電話８０と無線基地局７０とを接続する。無線基地局７０は、携帯電話５０を無線収容し、固定電話８０を有線収容する。
【００４３】
図１２を参照して、固定電話８０の構成を説明する。図１２において、固定電話８０は、スピーカ６０３と、表示部６０４と、入力部６０５と、制御部８０６と、回線制御部６０７と、送話部６０８、受話部６０９とから構成される。なお、制御部８０６は、図２で説明した制御部６０６から呼出部６０６１の機能を削除した機能で構成される。なお、図１２で説明した固定電話は、一般に流通されている。ここでは、実施例１で説明した図２の固定電話との構成の差分を分かりやすくするため、説明したものである。
【００４４】
図１３を参照して、無線基地局７０の構成を説明する。図１３において、無線基地局７０は、基地局アンテナ３０１、無線アナログ部３０２、ディジタル信号処理部３０３、回線Ｉ／Ｆ部３０４、中継部７０４、呼処理部７１０、基地局制御部３０５から構成される。呼処理部７１０は、ＣＰＵ３１１、代理応答処理部７１２、メモリ３１３、Ｉ／Ｏ３１４から構成される。
【００４５】
中継部７０４は、通信網および自無線基地局配下ＬＡＮと接続され、通信網とＬＡＮを中継する。
呼処理部７１０は、既存の無線基地局で実現されている呼処理を実施する。呼処理部７１０は、携帯電話５０および無線基地局７０配下のＬＡＮに接続される固定電話８０からの代理応答可能信号を監視する。呼処理部７１０は、無線基地局７０のカバーエリア４０およびＬＡＮ内に所在する電話端末からの呼び出し通知信号受信中に、代理応答可能信号を受信すると、ＳＩＰサーバ１０に対して、呼び出し先電話端末番号と代理応答可能電話端末番号を送信情報とする代理応答要求信号を送信する。
【００４６】
また、中継部７０４は、一般的に流通されているＨＵＢと同様の機能を持つ。なお、一般的にＨＵＢ（ハブ）とは、ＬＡＮでスター接続（端末を放射状に配線する）する際に、その中心に配置される集線装置である。ＨＵＢは、ＲＪ−４５の差し込みジャックを複数持つ機器で、通信機器のＬＡＮポートと１０ＢＡＳＥ−Ｔや１００ＢＡＳＥ−ＴＸで使用するケーブルなどを用いて接続される。また、ＨＵＢは、リピータＨＵＢとスイッチングＨＵＢの２種類がある。リピータＨＵＢは、送信されてきた信号を全ての接続端末に対してリピート転送するものである。他方、スイッチングＨＵＢは、送信されてきた信号の内容解析を行ない、信号の宛先にあたる接続機器のみに信号を転送する複数ポートのブリッジとして機能するものである。
【００４７】
中継部７０４は、通常の電話接続の際に発生する呼び出し先電話端末からの呼び出し応答（Ｒｉｎｇｉｎｇ）信号を回線Ｉ／Ｆ部３０４を介して、代理応答処理部７１２に送信する。その結果、無線基地局７０は、配下のＬＡＮに接続されている固定電話が呼び出し中であるかどうかの判断が可能である。
【００４８】
すなわち、図８は、無線基地局３０のフローであるが、ステップ７０２の呼び出し通知信号を受信中かの判定を、配下のＬＡＮに接続されている固定電話が呼び出し中かの判定に置き換えれば、無線基地局７０のフローと看做すことができる。
【００４９】
図１４を参照して、内線電話システム１００Ａの代理応答のシーケンスを説明する。ここでは、固定電話使用者の不在時に、その固定電話に対する電話呼び出しがあったとき、携帯電話での代理応答動作を説明する。
【００５０】
図１４において、発信固定電話８０−Ａは、呼び出し先固定電話８０−Ｃへの電話接続要求信号を、ＳＩＰサーバ１０に送信する（Ｓ１１１）。電話接続要求信号を受信したＳＩＰサーバ１０は、呼び出し先固定電話８０−Ｃに対して、呼び出し信号を送信する（Ｓ１１２）。これにより、呼び出し先固定電話８０−Ｃの呼び出し音が鳴動する。この時、呼び出し先固定電話８０−Ｃが無線基地局７０−Ｂ配下のＬＡＮ９０−Ｂに接続されているため、呼び出し先固定電話８０−Ｃは無線基地局７０−Ｂの中継部７０４を経由して、ＳＩＰサーバ１０と接続されることになる。無線基地局７０−Ｂは、この中継を行なうことにより、呼び出し先固定電話８０−Ｃが呼び出し中であることを認識する。
【００５１】
呼び出し先固定電話８０−Ｃを割り当てられた従業員の離席などにより呼び出し音の鳴動が続くと、近傍に位置する携帯電話５０−Ｃを所持する従業員が、呼び出し先固定電話８０−Ｃを割り当てられた従業員が離席していることに気づく。この従業員は、自身が所持する携帯電話から代理応答可能を意味する所定の入力操作を行なう。携帯電話５０−Ｃは、代理応答可能信号を無線基地局７０−Ｂに送信する（Ｓ１１４）。携帯電話５０−Ｃが所在する場所をカバーエリア４０−Ｂとしている無線基地局７０−Ｂは、呼び出し先固定電話８０−Ｃと携帯電話５０−Ｃを関連付けた代理応答要求信号をＳＩＰサーバ１０に送信する（Ｓ１１６）。代理応答要求信号を受信したＳＩＰサーバ１０は、発信固定電話８０−Ａと無線基地局７０−Ｂを経由した携帯電話５０−Ｃ間で回線を接続する（Ｓ１１７）。これにより、ＳＩＰサーバ１０からの固定電話８０−Ｃへの呼び出し信号が停止し、固定電話８０−Ｃからの呼び出し通知信号も停止する。
【００５２】
なお、図１４では、発信電話端末を固定電話、代理応答電話端末を携帯電話として説明したが、それぞれ端末が固定電話であろうと携帯電話であろうと同様の動作が可能である。また、呼び出し先電話端末を固定電話として説明したが、携帯電話所持者が携帯電話を自席などに放置した状態で離席中に着信があった場合、携帯電話の着信音や振動音が鳴動する設定になっていれば、呼び出し先電話が携帯電話であっても、該携帯電話端末の周辺在席者により、代理応答が可能である。
実施例２の構成では、中継機能を内蔵した無線基地局を新設すれば、固定電話や携帯電話は、一般的に使用されている機種を流用できる。このため、システムの導入がしやすいメリットがある。
【符号の説明】
【００５３】
１０…ＳＩＰサーバ、２０…ＩＰネットワーク、３０…無線基地局、４０…カバーエリア、５０…携帯電話、６０…固定電話、７０…無線基地局、８０…固定電話、９０…有線ＬＡＮ、３０１…基地局アンテナ、３０２…無線アナログ部、３０３…ディジタル信号処理部、３０４…回線Ｉ／Ｆ部、３０５…基地局制御部、３１０…呼処理部、３１１…ＣＰＵ、３１２…代理応答処理部、３１３…メモリ、３１４…Ｉ／Ｏ、５０１…端末アンテナ、５０２…無線部、５０３…入力部、５０４…制御部、５０５…メモリ、５０６…鳴動部、５０７…振動部、５０８…ＬＥＤ、５０９…表示部、５１０…送話部、５１１…受話部、６０１…端末アンテナ、６０２…無線部、６０３…スピーカ、６０４…表示部、６０５…入力部、６０６…制御部、６０７…回線制御部、６０８…送話部、６０９…受話部、７０４…中継部、７１０…呼処理部、７１２…代理応答処理部、８０６…制御部、５０４１…代理部、６０６２…代理部、６０６１…呼出部。
【図１】
2011249919.tif 000003
【図２】
2011249919.tif 000004
【図３】
2011249919.tif 000005
【図４】
2011249919.tif 000006
【図５】
2011249919.tif 000007
【図６】
2011249919.tif 000008
【図７】
2011249919.tif 000009
【図８】
2011249919.tif 000010
【図９】
2011249919.tif 000011
【図１０】
2011249919.tif 000012
【図１１】
2011249919.tif 000013
【図１２】
2011249919.tif 000014
【図１３】
2011249919.tif 000015
【図１４】
2011249919.tif 000016